(57)【要約】【課題】▲１▼外出時、手持ちのハンカチが付属品を一切使わなくても膝用ナプキンとして使える。▲２▼膝用ナプキン外に、老若男女や子供も瞬時に胸前用ナプキンとして使える。▲３▼女性外出時、手持ちのハンカチが、膝用ナプキンとしてできる外に、胸用ナプキンとネッカチーフ兼用できる。以上の機能を持つ美観と実用的ナプキンやネッカチーフ兼用できるハンカチを提供する。【解決手段】  ▲１▼ハンカチの四角に付けた装飾物の僅かな重さによって安定させ、美観と実用的な膝用ナプキンにもできる。▲２▼膝用ナプキン外にも使えるように、装飾ストラップ（菱形頂点・一辺両端式・三角巾式・四角式の４方式）と装飾チェーンの２種類の装飾物を用いて、掛ける方法か交差挿入方法などによって解決させた。  ▲３▼装飾ストラップの三角巾式のものを交差挿入方法によって、前後の方向に寸法を調整すれば、胸用ナプキンとネッカチーフの兼用を即時にできる。【選択図】図１
2008045256.tif 000002
【特許請求の範囲】
【請求項１】
ハンカチのコーナーに僅かな装飾品をつけたことによって安定性のあるおしゃれで実用的であることを特徴としたナプキン，ネッカチーフ兼用ハンカチ。
【請求項２】
ハンカチの４つのコーナーにミニカニカンやヒモトメなどの金具類を取り付けこれにビーズを配した装飾チェーンを付けたことを特徴とした（請求項１）記載のハンカチ。
【請求項３】
ハンカチの４つのコーナーに翡翠ビーズなどを配した紐ストラップを取付けたことによって、美観性・実用性・操作性を兼備し、１枚で多用途に使用できることを特徴とした（請求項１）記載のハンカチ。
【請求項４】
ハンカチの一つのコーナーだけに翡翠ビーズなどを配した紐ストラップを取付けたことを特徴とした（請求項３）記載のハンカチ。
【請求項５】
（請求項３）の分枝項目として、すなわち紐ストラップをハンカチの四角につけた状態のものであって、その中の“一辺の両端コーナー”という実施方式を用いたことを特徴とした（請求項３）記載のハンカチ。
【請求項６】
（請求項３）の分枝項目として、すなわち紐ストラップをハンカチの四角につけた状態のものであって、その中の“斜め対角線上の２つのコーナー”という実施方式を用いたことを特徴とした（請求項３）記載のハンカチ。
【発明の詳細な説明】
【技術分野】
【０００１】  本発明は、ナプキンとハンカチを合体させた胸前用ナプキン・膝上用ナプキンとネッカチーフ兼用ハンカチに関するものである。
【背景技術】
【０００２】  従来、食事時の胸元をカバーするのに、一般的にハンカチを首元に差し込んだりしていた。レストランなどで提供されるナプキンも膝の上をカバーするだけのものであった。【０００３】  この分野の従来技術として、四角いハンカチの、ひとつのコーナーから、首もとに差し込む長さを有する位置に、ハンカチの縁から、対角線に向かって、直角かつ左右対称に、切り込み線を入れ、この切り込み線の両側の部分がほつれないように、布で被覆して、内側を縫い合わせたことを特徴とした「ナプキン兼用ハンカチ」があった。（例えば、特許文献１参照）【０００４】  また、「布状部材」（例えば、特許文献２参照）や「ハンカチエプロン前掛け」（例えば、特許文献３参照）あり、さらには、「ナプキン兼用ハンカチーフ」（例えば、特許文献４参照）があった。【０００５】  以下、「特許文献１」・「特許文献２」・「特許文献３」および「特許文献４」により、従来のナプキンと兼用ハンカチに関する技術・工法について、（１）〜（３）のとおり説明する。【０００６】  （１）「特許文献１」の図１ないし図４に示されているように、単に首元に差し込むことのみを特徴とするハンカチに関するものある。【０００７】  （２）「特許文献２」の図１ないし図４に示されているように、「特許文献１」同様、スリットを設け、これを胸元に当てるのみのハンカチに関するものである。【０００８】  （３）「特許文献３」および「特許文献４」は、ともにボタンホールを設けた単純な構造のものである。【０００９】
【特許文献１】  特許２９２６４８０（図１ないし図４）「ナプキン兼用ハンカチ」平成１５年５月１４日年金不納による権利消滅
【特許文献２】  特開２００６−１６９６６３（図１ないし図４）「布状部材」
【特許文献３】実開平５−８１２１２（図７）「ハンカチエプロン前掛け」拒絶査定（平成１９年７月１５日）
【特許文献４】実開昭５８−１５１６０６（図１ないし図２）「ナプキン兼用ハンカチーフ」
【００１０】  以上が、従来のナプキンとハンカチに関する技術・工法であり、いずれも単純な構造で実用面のみを前提にした代用な単純構造であり、スカーフ兼用のものはない。
【発明の開示】
【発明が解決しようとする課題】
【００１１】  外食時に、手持ちのハンカチが、これに取り付けた装飾品以外の付属品を一切使用しなくても、ずり落ちてこないナプキンとして兼用出来るようにすることである。【００１２】  膝上用ナプキン（以下：膝ナプキンと略称）として使用できるだけでなく、男性（女性も勿論）あるいは年寄り（子供をも含む）さえ簡単に瞬時で胸前に掛けて胸前用ナプキン（以下：ナプキンと略称）として使用できるようにすることである。【００１３】  さらに、女性が外出する時、手持ちのハンカチが膝ナプキンとして使用出きる外、ナプキンとネッカチーフとしても使えるようにすることである。
【課題を解決するための手段】
【００１４】  課題を解決するための手段は、ハンカチに装飾品をつけることによって解決させたが、この手段を装飾品の重量を利用するか否かによって大きく２つに分類することができる。【００１５】  すなわち、実施例の一つは、ハンカチの四角にそれぞれに挟むあるいは縫い、掛けるなどによって取り付けた装飾品の重量のみを利用して、膝上に安定させることにより、床面へ落ち難くして、膝ナプキンとして使用できるものであり、他の一つの実施例は、これらの重量に頼らずに、装飾品と一体化を成す装飾チェーンや装飾ストラップを用いて、掛ける、挿入するなどして、胸前用ナプキンや膝ナプキンさらにはネッカチーフとしても利用できるものである。【００１６】  このように、ハンカチに取り付ける装飾物の種類は、装飾チェーンと装飾ストラップの２種類に分類される。さらに、これらは、装飾物の活用方式によって、▲１▼四角式、▲２▼一辺両端式、▲３▼三角巾式、▲４▼菱形頂点式などに分類される。【００１７】  以上の課題を解決するための手段の実施例ならびにそれらの方式・方法を一覧表にまとめると表１の通りとなる。【００１８】  なお、表１および明細書本文中に“双線”と記載した文言は、中国語であり、これに最適な日本語の文言が見当たらないので、原語で記載することにした。
【表１】
2008045256.tif 000003
【００１９】  “双線”とは、形状的には、ケーブルカーの軌道の中間点のように単線が二股に分岐して、複線となり、２台のケーブルカーが互いに離合後、再び単線となるのと同様に、ストラップの２本の紐を軌道レールのように、１本〜２本〜１本となるようの結んだものである。したがって、“双線”は、ストラップの上述形状部分を文言と言うより、記号的に表現したものである。（以下、全文に渡って同じである。）【００２０】    以下に、各装飾品に使用する材料ならびに製作方法を記載する。
（Ａ）装飾物の種類：装飾チェーン（ビーズ装飾チェーンなど）である。
装飾チェーンは約５〜７ｃｍの長さであり、短いネックレスのように構成されたものである。【００２１】  装飾チェーンの使用材料と製作方法：キュウピン、Ｔピン、マルカンなどを用いて、いろいろな種類のきれいな自然石ビーズ（例えば：淡水真珠，水晶，メノウ等，または手作りの七宝焼のビーズ等も含む）を珠チェーン状にして、ヒモトメ（あるいはカニカン）でハンカチと連接させる。【００２２】  ハンカチの角ｄの装飾チェーンにカニカンを付加して（以下：付加カニカンと略称、図８参照）この付加カニカンを利用して取り付ける。
この装飾チェーンによる取付方法は、一辺両端式と三角巾式の２種類がある。
（１）女性のためのナプキンの一辺両端式の使用方法。
（２）これを女性のための胸前ナプキンとネッカチーフに即時に兼用できるようにした三角巾式の使用方法。の２種類について以下のとおり説明する。【００２３】  （１）一辺両端式の使用方法：
ハンカチの角ｄの装飾チェーンにある付加カニカンを角ａの装飾チェーンにあるマルカンにかけて、即ちナプキンとして使用できる。
（２）三角巾式の使用方法：ハンカチの角ａと角ｃとの対角線上を三角巾のように折り曲げて、それから角ｄの付加カニカンを角ｂの装飾チェーンにあるマルカンにかけて、即ちネッカチーフの使用方法である。
さらに前後方向を調整すれば、ナプキンとなる。【００２４】  特点と使用対象：豪華でゴージャスかつ高雅なものであるので、女性のフォーマル使用に最適である。また、装飾チェーンが取り外せるので洗濯も可能であり、さらに別途使用もできる。
適用範囲：胸前ナプキン、膝ナプキン、ネッカチーフ、高級ハンカチ。（図１３と図１４）【００２５】（Ｂ）装飾物の種類：−長さの約７〜８ｃｍの装飾ストラップである。
装飾ストラップの使用材料と製作方法：手編みされた花型のある細い紐にいろいろな翡翠ビーズを配したストラップである。それから、この装飾ストラップを縫い付けるかもしくは引っ掛けるかの方法でハンカチの角或いは角縁の丈夫な所に固定する。（図２参照）【００２６】  特点と使用対象：文雅で（エレガントで）きれいであり、多用途に使用できて、使用方法簡単。年齢層や使う場所などに限られずに、広く使用できる。
適用範囲：胸前ナプキン、膝ナプキン、ネッカチーフ、高級ハンカチ。【００２７】（掛ける方法による安定性を獲得する発明の項目）
ハンカチの角ａに一つの装飾ストラップだけつけて、ストラップとハンカチの連結近くに約２．５ｃｍ長さの双線が設置される。この双線を開けて、使用者胸前の上部のボタンに掛けると胸用ナプキンとなる。
また、胸前の下部のボタンに掛けると膝ナプキンとしても使用できる。
特点と使用対象：シンプルできれいであり、瞬時に兼用できるので、非常に男性に適用する（もちもん、女性用としても可）。
適用範囲：胸前ナプキン、膝ナプキン、ハンカチ。（図９参照）【００２８】（挿入方法による安定性を獲得する発明の項目）その一
（１）一辺の両端（角ａと角ｄ）の使用（実施）方式。
ハンカチの四角に装飾ストラップをそれぞれ各一つ固定する状態で角ｄのストラップを角ａのストラップの双線（角ａの双線の長さ：２，５ｃｍ）の中に挿入し、両方の双線が交差状態に至って、ナプキンとする。（図１０参照）
特点と使用対象：ナプキンとして使う面積が大きくできるので、特に男性用や年寄り用として最適である。
適用範囲：胸前ナプキン、膝ナプキン、ハンカチ。【００２９】（挿入方法による安定性を獲得する発明の項目）その二
（２）対角の両角（角ｂと角ｄ）の使用（実施）方式。
ハンカチの四角に装飾ストラップをそれぞれ各一つ固定した状態で角ａと角ｃとが重なるように三角巾状に折り曲げて、それから角ｂの装飾ストラップを角ｄの装飾ストラップの双線（角ｄの双線の長さ：２，５ｃｍ）の中に挿入し、両方の双線が交差状態にすれば、ネッカチーフとして使用し易い。これらの前後の方向を調整すれば、たちどころにナプキンに変えることができる。（図１０参照）
特点と使用対象：ナプキンとネッカチーフを瞬時に兼用できるので、若い女性や年配の女性に最適なものとなる。
適用範囲：胸前ナプキン、膝ナプキン、ネッカチーフ、高級ハンカチ。【００３０】（挿入方法による安定性を獲得する発明の項目）その三
（３）次に、四角の使用（実施）方式。
ハンカチの四つの角に装飾ストラップをそれぞれ各一つ固定する他の実施例について述べる。これは、すでに上述した“掛ける”、“挿入する”やり方に加えて，他のもう一種類の挿入方法の実施例である。即ち：角ａの装飾ストラップを上述の掛ける方法で実施し、それから角ｂと角ｄとの装飾ストラップを背中で交差挿入させる方法である。（図１０参照）
特点と使用対象：適用範囲は広く、多用できるものであり、図１０の“掛ける”、“挿入する”やり方の特点をすべて備えた上に，これよりさらに安定性がよいので、特に子供用や年寄り用に適すものである。
適用範囲：胸前ナプキン、膝ナプキン、ネッカチーフ、高級ハンカチ。【００３１】  以上のように、課題を解決するための手段とその取付方法および使用手順を記述したが、ここで、胸用ナプキンとネッカチーフの使用上の留意点を述べる。
これらの活用方式としては、▲１▼四角式、▲２▼一辺両端式、▲３▼三角巾式と▲４▼菱形頂点式があり、取付方法としては、▲１▼装飾チェーンのカニカンで掛ける方法と▲２▼装飾ストラップの双線で掛ける（菱形頂点式）と▲３▼装飾ストラップの双線を交差挿入する方法がある。【００３２】  これらの活用方法、取付方法のうちで締結する方法のものに関しては、いずれの方法であっても、まず、胸前の位置に於いて目で見ながら丁寧に装飾チェーンのカニカンを掛ける、あるいは、装飾ストラップの双線を交差挿入して、それから背中に向かって前後調整してから、胸用ナプキンとして使う。【００３３】  同様に、外す時も胸前で丁寧に外す。すなわち、脱着操作はすべて胸前で完了させることを勧める。
【発明の効果】
【００３４】  以上説明してきたように、本発明の（請求項１）記載のようにハンカチのコーナーに僅かな装飾品をつけたことによっておしゃれで床面に落ちにくい実用性を特徴としたナプキン兼用ハンカチにあって、前記構成としたため、外食時に、手持ちのハンカチが、これに取り付けた装飾品以外の付属品を一切使用しなくても、ずり落ちてこないナプキン、ネッカチーフとして兼用出来るようにした。【００３５】  本発明の特点と効能：その一（より美観的である。）
本発明はハンカチが本来もつ様式と効能を破壊することなく、これに装飾を付加することによって、より美観的で高級感も富んだものにできる。さらに、使用者の個性的で多種多様な好みに応じて、豪華（ゴージャス）さ、文雅さ（風流さ）・繊細さなど広範な選択の余地を提供することができる。【００３６】  本発明の特点と効能：その二（より安定性がよい。）
本発明は、上記に項目別に解決の手段と方法を詳しく説明したように、ハンカチが本来もつ様式と効能を破壊させずに、これをナプキンとして使用する場合に、落ちやすいという問題点を解決した。【００３７】  本発明の特点と効能：その三（より実用的で、多性能である。）
本発明は、美観性および装飾の多様性と安定性を付加的に備えること、さらに操作方法簡単であることによって、使用対象が多くなり、適用範囲も広くできたので、実用目的に加えて多用途に活用できる多機能を持ち合わせるハンカチを提供するものである。【００３８】  ここで、「一巾多用ハンカチ」とも換言できる本発明品の提供による効果を従来品と比べてまとめると表２の通りとなる。
【表２】
2008045256.tif 000004
【本発明を実施するための最良の形態】
【００３９】  以下、本発明の具体的な実施形態を図面に基づいて詳細に説明する。
図１は、本発明実施の形態における一例を示す写真である。
図２は、同上の他の一例を示す写真である。
【００４０】  前記のハンカチ本体１は、３０ｃｍないし５３ｃｍ（最大５７ｃｍまで）の略正方形をなし、その角部分に各種の綺麗なビーズなどで構成する５ｃｍないし７ｃｍ程度の長さの装飾チェーンを設けている。
【００４１】  さらに、本発明を実施するに当たり最良の形態を得るために、使用するハンカチの厚み面・寸法面および材質面で下記のような配慮が望まれる。
（１）装飾チェーンをつける場合には厚みのあるハンカチが適切である。
（２）長持ちさせるために、装飾チェーンあるいは装飾ストラップをつける場合には縁に厚みのあるハンカチを選ぶことが望ましい。
あるいは、比較的厚みの薄いハンカチを流用する場合は、装飾チェーンや装飾ストラップを固定する部位に厚みを加える処理を施すことを提案する。
（３）使用対象や範囲に応じたハンカチの推奨寸法を設定するための参考数値をまとめると表３の通りとなる。
【表３】
2008045256.tif 000005
（４）女性用のネッカチーフとナプキン兼用ハンカチの素材は、柔らかい生地のもの（例えば：木綿と絹の混合織など）を使用することが望ましい。
【００４２】  角ａ（菱形頂点式と一辺両端式の場合を指す、また、三角巾式と四角式の場合は角ａと角ｂとも指す）  の双線を２．５ｃｍ程度（ほかの角の双線は２ｃｍ以内）の少し長くすると良い。その理由としては、
（１）掛ける方法で使用する時、使用者のボタンの大きさが違うことが推測されるためである。
（２）挿入方法で使用する時、小さい方を大きい方に挿入することによって、着脱をし易くするためである。
【産業上の利用可能性】
【００４３】  上述のように、携帯に便利な一枚のハンカチでありながら、簡単な使用方法で、食事用ナプキンにも膝ナプキンにも使用できる上、さらに女性にとっては、ネッカチーフとしても活用できる美観と実用性の一見、二律背反の使用目的に寄与する多目的ハンカチである。【００４４】  発明者は、ハンカチ業界にちょっとした変革を引き起こし得る発明であると予測する次第である。例えば、ホテルのレストランで使用されている食事用ナプキンが近い将来、本発明品のナプキンにとり代わる可能性も極めて高いと考えられる。
【図面の簡単な説明】
【００４５】
【図１】本発明実施の形態における一例を示す平面写真である。
【図２】本発明の他の実施の形態の一例を示す平面写真である。
【図３】従来品の実施形態を示す切り込み線を入れたハンカチの全体図である。
【図４】男性が従来品のナプキン兼用ハンカチを使用した時の正面図である。
【図５】子供が従来品のナプキン兼用ハンカチを使用した時の正面図である。
【図６】本発明の男性用、ストラップ１つのものに付ける「双線」を開けていた状態での正面図である。
【図７】本発明の男性用、ストラップ１つのものに普通静止状態での正面図である。
【図８】図１のハンカチの角部位指定名称を示した図である。
【図９】角ａストラップ一つのナプキンの使用状態を示す図である。
【図１０】角ａと角ｂとの交差に差し込んだ状態を示す図である。
【図１１】ヒモトメで挟んでいる装飾チェーンを示す図である。
【図１２】ヒモトメで挟める装飾チェーンを示す図である。
【図１３】ミニカニカンで挟んでいる装飾チェーンを示す図である。
【図１４】ミニカニカンを取り離した装飾チェーンを示す図である。
【図１５】装飾チェーン上の附加カニカンを示す図である。
【図１６】装飾チェーンの一辺両端的ナプキンの背中側から見た図である。
【図１７】三角巾式ネッカチーフの正面から見た図である。
【図１８】ネッカチーフの背中側から見た図である。
【符号の説明】
【００４６】１  ハンカチ
２  コーナー
３  切り込み線を入れる事によって出来た三角形の部分
４  首もとに差し込む部分
５  切り込み線
６  切り込み線を入れた両側の部分を被覆した布および鎖
７  切り込み線の両側の部分を布で被覆して縫い合わせたミシン目
２１  角ａ
２２  角ｂ
２３  角ｃ
２４  角ｄ
【図１】
2008045256.tif 000006
【図２】
2008045256.tif 000007
【図３】
2008045256.tif 000008
【図４】
2008045256.tif 000009
【図５】
2008045256.tif 000010
【図６】
2008045256.tif 000011
【図７】
2008045256.tif 000012
【図８】
2008045256.tif 000013
【図９】
2008045256.tif 000014
【図１０】
2008045256.tif 000015
【図１１】
2008045256.tif 000016
【図１２】
2008045256.tif 000017
【図１３】
2008045256.tif 000018
【図１４】
2008045256.tif 000019
【図１５】
2008045256.tif 000020
【図１６】
2008045256.tif 000021
【図１７】
2008045256.tif 000022
【図１８】
2008045256.tif 000023